【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
画像を撮像するカメラと、
前記カメラの撮像方向を移動させながら撮像した画像を所定のタイミングで取込む制御手段と、を備え、
前記制御手段は、前記表示不可とする所定の被写体を含む画像を取込む際、現在のタイミングで取込んだ前記被写体の位置情報と、前回のタイミングで取込んだ前記被写体の位置情報と、に基づいた画像領域にマスク処理を施すことを特徴とするネットワークカメラ。
【請求項２】
画像を撮像するカメラと、
前記カメラの撮像方向を移動させながら撮像した画像を所定のタイミングで取込む制御手段と、を備え、
前記制御手段は、前記表示不可とする所定の被写体を含む画像を取込む際、前回のタイミングで取込んだ前記被写体の位置情報の始端位置をマスクの始端位置とし、現在のタイミングで取込んだ前記被写体の位置情報の終端位置を前記マスクの終端位置として、前記始端位置から前記終端位置に囲まれた画像領域にマスク処理を施すことを特徴とするネットワークカメラ。
【請求項３】
画像を撮像するカメラと、
前記カメラが撮像した画像を拡大しながら所定のタイミングで取込む制御手段と、を備え、
前記制御手段は、前記被写体を含む画像を拡大しながら取込む際、現在のタイミングで取込んだ前記被写体の位置情報と、前回のタイミングで取込んだ位置情報を拡大させた前記被写体の位置情報と、に基づいた画像領域に前記画像を拡大しながらマスク処理を施すことを特徴とするネットワークカメラ。
【請求項４】
画像を撮像するカメラと、
前記カメラが撮像した画像を縮小しながら所定のタイミングで取込む制御手段と、を備え、
前記制御手段は、前記被写体を含む画像を縮小しながら取込む際、現在のタイミングで取込んだ前記被写体の位置情報と、前回のタイミングで取込んだ位置情報を縮小させた前記被写体の位置情報と、に基づいた画像領域に前記画像を縮小しながらマスク処理を施すことを特徴とするネットワークカメラ。
【請求項５】
端末装置と接続するインターフェースを有することを特徴とする請求項１〜４のいずれかに記載されたネットワークカメラ。
【請求項６】
現在のタイミングの前記被写体の位置情報と、前回のタイミングの前記被写体の位置情報とを重ね合わせ、この重ね合わせによって形成される位置情報の画像領域にマスク処理を施すことを特徴とする請求項１〜４のいずれかに記載されたネットワークカメラ。
【請求項７】
撮像範囲の中で表示不可とする所定の被写体の位置情報を記憶する記憶手段を備え、
前記記憶手段は前回のタイミングで取込んだ前記被写体の位置情報を記憶し、前記制御手段は前記記憶手段の前記位置情報に基づいて、前回のタイミングで取込んだ前記被写体の位置情報と現在のタイミングで取込んだ前記被写体の位置情報との両方に基づいて１つのマスクを作成し、該マスクによってマスク処理を施すことを特徴とする請求項１〜４のいずれかに記載されたネットワークカメラ。
【請求項８】
撮像範囲の中で表示不可とする所定の被写体の位置情報を記憶する記憶手段を備え、
前記記憶手段には、前記被写体の前回のタイミングで作成したマスクデータが記憶され、前記制御手段は現在のタイミングで取込んだ前記被写体の位置情報に基づいてマスクデータを作成して第１のマスク処理を行い、さらに前記記憶手段の前記マスクデータに基づいて第２のマスク処理を行うことを特徴とする請求項１〜４のいずれかに記載されたネットワークカメラ。
【請求項９】
撮像した画像データを送信するネットワークカメラであって、
所定の期間露光して撮像するカメラと、
被写体を含む画像を撮像し、前記画像に対応した画像データを送信する制御手段と、を備え、
前記制御手段は、撮像した第１画像において被写体を隠す第１のマスクエリアと、前記第１画像と異なる第２画像において被写体を隠す第２のマスクエリアと、の両方のマスクエリアに基づいて前記画像データに対してマスク処理を行うことを特徴とするネットワークカメラ。
【請求項１０】
前記第１画像は第１の露光期間中に撮像した画像であり、前記第２画像は前記第１の露光期間とは異なる第２の露光期間中に撮像した画像であることを特徴とする請求項９記載のネットワークカメラ。
【請求項１１】
前記第１画像は第１の露光期間中の露光開始のとき撮像した画像であり、前記第２画像は前記第１の露光期間中の露光終了のとき撮像した画像であることを特徴とする請求項９記載のネットワークカメラ。
【請求項１２】
前記制御手段は、前記第１のマスクエリアと前記第２のマスクエリアを重ね合わせたマスクエリアを用いて前記画像データに対してマスク処理を行うことを特徴とする請求項９あるいは１０記載のネットワークカメラ。
【請求項１３】
前記ネットワークカメラは、
前記カメラをパンあるいはチルトさせる駆動制御部を備え、
前記駆動制御部が前記カメラをパンあるいはチルトしている間に、前記制御部は所定の間隔で前記被写体を含む画像を撮像し、前記カメラが撮像した画像に対してマスク処理を行うことを特徴とする請求項９から１１いずれか１項記載のネットワークカメラ。
【請求項１４】
前記ネットワークカメラは、
前記カメラのズーム倍率を変更する駆動制御部を備え、
前記駆動制御部がズーム倍率を変更している間に、前記制御部は所定の間隔で前記被写体を含む画像を撮像し、前記カメラが撮像した画像に対してマスク処理を行うことを特徴とする請求項９から１１いずれか１項記載のネットワークカメラ。
【手続補正２】
【補正対象書類名】明細書
【補正対象項目名】００１０
【補正方法】変更
【補正の内容】
【００１０】
このような問題を解決するために本発明は、前記カメラの撮像方向を移動させながら撮像した画像を所定のタイミングで取込む制御手段と、を備え、制御手段は、表示不可とする所定の被写体を含む画像を取込む際、現在のタイミングで取込んだ被写体の位置情報と、前回のタイミングで取込んだ被写体の位置情報と、に基づいた画像領域にマスク処理を施すことを主要な特徴とする。
【手続補正３】
【補正対象書類名】明細書
【補正対象項目名】００１２
【補正方法】変更
【補正の内容】
【００１２】
上記課題を解決するために本発明の請求項１の発明は、画像を撮像するカメラと、カメラの撮像方向を移動させながら撮像した画像を所定のタイミングで取込む制御手段と、を備え、制御手段は、表示不可とする所定の被写体を含む画像を取込む際、現在のタイミングで取込んだ被写体の位置情報と、前回のタイミングで取込んだ被写体の位置情報と、に基づいた画像領域にマスク処理を施すことを特徴とするネットワークカメラである。この構成によって、表示不可とする所定の被写体を含む画像を取込む際、被写体の現在のタイミングで取込んだ位置情報と、被写体の前回のタイミングで取込んだ位置情報とを含む画像領域にマスク処理を施すことにより、カメラをパンチルト駆動させて被写体を撮像する際に、前回取込んだ画像の見せたくない画像領域と、現在取込んだ見せたくない画像領域の２つの画像領域に対して同時にマスク処理を施すので、現在のタイミングと前回のタイミングで画像を取込むときに撮像された画像が一瞬見えてしまうのを簡単且つ確実に見えなくすることができる。
【手続補正４】
【補正対象書類名】明細書
【補正対象項目名】００１３
【補正方法】変更
【補正の内容】
【００１３】
本発明の請求項２の発明は、画像を撮像するカメラと、カメラの撮像方向を移動させながら撮像した画像を所定のタイミングで取込む制御手段と、を備え、制御手段は、表示不可とする所定の被写体を含む画像を取込む際、前回のタイミングで取込んだ被写体の位置情報の始端位置をマスクの始端位置とし、現在のタイミングで取込んだ被写体の位置情報の終端位置をマスクの終端位置として、始端位置から終端位置に囲まれた画像領域にマスク処理を施すことを特徴とするネットワークカメラである。この構成によって、表示不可とする所定の被写体を含む画像を取込む際、記憶手段の位置情報に基づいて、被写体の前回のタイミングで取込んだ表示不可とする位置情報の始端位置をマスクの始端位置として、現在のタイミングで取込んだ被写体の位置情報の終端位置をマスクの終端位置として、始端位置から終端位置に囲まれた画像領域にマスク処理を施すことにより、カメラをパンチルト駆動させて被写体を撮像する際に、最初に取込んだ被写体の見せたくない画像領域から最後に取込んだ見せたくない画像領域にマスク処理を施すので、現在のタイミングと前回のタイミングで画像を取込むときに撮像される画像が一瞬見えてしまう画像領域を簡単且つ確実に見えなくすることができる。
【手続補正５】
【補正対象書類名】明細書
【補正対象項目名】００１４
【補正方法】変更
【補正の内容】
【００１４】
本発明の請求項３の発明は、画像を撮像するカメラと、カメラが撮像した画像を拡大しながら所定のタイミングで取込む制御手段と、を備え、制御手段は、被写体を含む画像を拡大しながら取込む際、現在のタイミングで取込んだ被写体の位置情報と、前回のタイミングで取込んだ被写体の位置情報を拡大させた位置情報と、に基づいた画像領域に画像を拡大しながらマスク処理を施すことを特徴とするネットワークカメラである。この構成によって、表示不可とする所定の被写体を含む画像を取込む際、カメラのズーム倍率を拡大させて被写体を撮像する際に、前回取込んだ被写体の位置情報を拡大させた位置情報と、現在取込んだ位置情報とを含む画像領域に画像を拡大しながらマスク処理を施すので、現在のタイミングと前回のタイミングで画像を取込むときに撮像される画像が一瞬見えてしまう画像領域を簡単且つ確実に見えなくすることができる。
【手続補正６】
【補正対象書類名】明細書
【補正対象項目名】００１５
【補正方法】変更
【補正の内容】
【００１５】
本発明の請求項４の発明は、画像を撮像するカメラと、カメラが撮像した画像を縮小しながら所定のタイミングで取込む制御手段と、を備え、制御手段は、被写体を含む画像を縮小しながら取込む際、現在のタイミングで取込んだ被写体の位置情報と、前回のタイミングで取込んだ被写体の位置情報を縮小させた位置情報と、に基づいた画像領域に画像を縮小しながらマスク処理を施すことを特徴とするネットワークカメラである。この構成によって、カメラのズーム倍率を縮小して被写体を撮像する際に、前回取込んだ被写体の位置情報を拡大させた位置情報と、現在取込んだ位置情報とを含む画像領域に画像を縮小しながらマスク処理を施すので、現在のタイミングと前回のタイミングで画像を取込むときに撮像される画像が一瞬見えてしまう画像領域を簡単且つ確実に見えなくすることができる。
【手続補正７】
【補正対象書類名】明細書
【補正対象項目名】００１７
【補正方法】変更
【補正の内容】
【００１７】
本発明の請求項６の発明は、請求項１〜４のいずれかの発明に従属する発明であって、現在のタイミングの被写体の位置情報と、前回のタイミングの前記被写体の位置情報とを重ね合わせ、この重ね合わせによって形成される位置情報の画像領域にマスク処理を施すことを特徴とするネットワークカメラである。この構成によって、現在のタイミングで取込んだ表示不可とする所定の被写体の位置と前回のタイミングで取込んだ表示不可とする所定の被写体の位置とを重ね合わせ、重ね合わせた画像領域にマスク処理を施すことにより、この連続する表示不可の画像領域とを重ねてマスク処理を施すので、見せたくない画像領域を簡単且つ確実に見えなくすることができる。
【手続補正８】
【補正対象書類名】明細書
【補正対象項目名】００１８
【補正方法】変更
【補正の内容】
【００１８】
本発明の請求項７の発明は、請求項１〜４のいずれかの発明に従属する発明であって、撮像範囲の中で表示不可とする所定の被写体の位置情報を記憶する記憶手段を備え、
記憶手段は前回のタイミングで取込んだ被写体の位置情報を記憶し、制御手段は記憶手段の位置情報に基づいて、前回のタイミングで取込んだ被写体の位置情報と現在のタイミングで取込んだ被写体の位置情報との両方に基づいて１つのマスクを作成し、該マスクによってマスク処理を施すことを特徴とするネットワークカメラである。この構成によって、既に取込んだ被写体の位置情報を記憶することにより現在タイミングで取込んだ被写体の位置情報とを重ねてマスク処理を施すことができるので、カメラをパン、チルトの移動、拡大、縮小させながら画像を取込む際に一瞬見えてしまう画像を簡単且つ確実に見えなくすることができる。
【手続補正９】
【補正対象書類名】明細書
【補正対象項目名】００１９
【補正方法】変更
【補正の内容】
【００１９】
本発明の請求項８の発明は、請求項１〜４のいずれかの発明に従属する発明であって、撮像範囲の中で表示不可とする所定の被写体の位置情報を記憶する記憶手段を備え、記憶手段には、前回のタイミングで作成した被写体のマスクデータが記憶され、制御手段は現在のタイミングで取込んだ被写体の位置情報に基づいてマスクデータを作成して第１のマスク処理を行い、さらに記憶手段のマスクデータに基づいて第２のマスク処理を行うことを特徴とするネットワークカメラである。この構成によって、被写体の現在のタイミングで取込んだ位置情報に基づいてマスクを作成し、これによりマスクデータを作成して第１のマスク処理を行い、前回取込んだ被写体のマスクデータで第２のマスク処理を施すことができるので、カメラをパン、チルトの移動、拡大、縮小させながら画像を取込む際に一瞬見えてしまう画像を簡単且つ確実に見えなくすることができる。